(57)【要約】【課題】浴室外から浴室内の温度状況を使用者に対して把握させることができる浴室暖房乾燥機を提供する。【解決手段】浴室暖房乾燥機は、浴室の温度を測定する吸込温度センサ２０と、浴室内に対して複数種類の色の光を個別に照射可能な光照射部４１と、吸込温度センサ２０によって測定された温度に基づき光照射部４１を制御して照射する光の色を切り替える制御部１８とを備え、浴室外から浴室内の温度状況を使用者に対して把握させることができる。【選択図】図４
2017062080.tif 000002
【特許請求の範囲】
【請求項１】
浴室内の空気を吸い込む吸込口と、吸い込んだ空気を温める加温部と、該加温部によって温められた空気を前記浴室内に送り出す送気口とを備えた浴室暖房乾燥機であって、前記浴室の温度を測定する浴室温度測定部と、前記浴室内に対して複数種類の色の光を個別に照射可能な光照射部と、前記浴室温度測定部によって測定された温度に基づき前記光照射部を制御して照射する光の色を切り替える切替部とを備えたことを特徴とする浴室暖房乾燥機。
【請求項２】
前記切替部は、前記浴室温度測定部によって測定された温度が低いほど寒色系の光を前記光照射部から照射させ、前記浴室温度測定部によって測定された温度が高いほど暖色系の光を前記光照射部から照射させることを特徴とする請求項１に記載の浴室暖房乾燥機。
【請求項３】
使用者による操作が可能であって前記加温部の駆動の有無を選択可能なスイッチを有する操作部を前記浴室外に備え、前記操作部は、前記浴室温度測定部によって測定される温度が所定温度未満である場合に、その旨を報知する浴室温度報知部を備えたことを特徴とする請求項１又は２に記載の浴室暖房乾燥機。
【請求項４】
前記操作部は、該操作部が設けられる浴室外の温度を測定する浴室外温度測定部を有し、該浴室外温度測定部によって測定される浴室外の温度と、前記浴室温度測定部によって測定される前記浴室の温度との差が所定以上ある場合に、その旨を報知する温度差報知部を備えたことを特徴とする請求項３に記載の浴室暖房乾燥機。
【請求項５】
前記光照射部は、前記浴室内における洗い場側に設けられることを特徴とする請求項１〜４のいずれか一項に記載の浴室暖房乾燥機。
【請求項６】
前記光照射部は、複数の光源を有して構成され、寒色系の光を発する光源が暖色系の光を発する光源寄りも前記浴室内における洗い場側に設けられることを特徴とする請求項１〜５のいずれか一項に記載の浴室暖房乾燥機。
【請求項７】
浴室用照明の点灯状態と非点灯状態を示す点灯信号に基づき、該点灯信号が前記浴室用照明の点灯状態を示す場合には前記光照射部による光の照射を可能と判定し、前記点灯信号が前記浴室用照明の非点灯状態を示す場合には前記光照射部による光の照射を不能と判定する判定部を備えたことを特徴とする請求項１〜６のいずれか一項に記載の浴室暖房乾燥機。
【発明の詳細な説明】
【技術分野】
【０００１】
本発明は、浴室暖房乾燥機に関する。
【背景技術】
【０００２】
家庭用の浴室の天井面等に設置される家庭用の浴室暖房乾燥機は、本体ケース内に浴室内の空気を温める加温部（熱交換器）が備えられる（例えば、特許文献１参照）。浴室暖房乾燥機は、加温部を用いて浴室内の空気を温めることで、入浴前後における大きな温度変化を抑えて急激な血圧変動（所謂ヒートショック）を抑えるなど、快適な入浴を使用者に対して与えることを目的の１つとしている。
【先行技術文献】
【特許文献】
【０００３】
【特許文献１】特開２０１３−６１１０７号公報
【発明の概要】
【発明が解決しようとする課題】
【０００４】
ところで、上記のような浴室暖房乾燥機では、浴室内の温度状況が浴室外からでは分かりづらく、冬期など浴室内の温度が低い場合には、快適な入浴を使用者に対して与えられない虞がある。このように、浴室外から浴室内の温度状況を使用者に対して把握させる点で改善の余地が残されている。
【０００５】
本発明は、上記課題を解決するためになされたものであって、その目的は、浴室外から浴室内の温度状況を使用者に対して把握させることができる浴室暖房乾燥機を提供することにある。
【課題を解決するための手段】
【０００６】
上記課題を解決するために、浴室暖房乾燥機は、浴室内の空気を吸い込む吸込口と、吸い込んだ空気を温める加温部と、該加温部によって温められた空気を前記浴室内に送り出す送気口とを備えた浴室暖房乾燥機であって、前記浴室の温度を測定する浴室温度測定部と、前記浴室内に対して複数種類の色の光を個別に照射可能な光照射部と、前記浴室温度測定部によって測定された温度に基づき前記光照射部を制御して照射する光の色を切り替える切替部とを備える。
【発明の効果】
【０００７】
本発明の浴室暖房乾燥機によれば、浴室外から浴室内の温度状況を使用者に対して把握させることができる。
【図面の簡単な説明】
【０００８】
【図１】一実施形態における浴室暖房乾燥機を備えた浴室の斜視図である。
【図２】同上における浴室暖房乾燥機の斜視図である。
【図３】同上における浴室暖房乾燥機の概略構成を説明するための説明図である。
【図４】同上における浴室暖房乾燥機の電気的構成を説明するためのブロック図である。
【図５】同上における浴室暖房乾燥機の操作部の正面図である。
【図６】別例における浴室暖房乾燥機の斜視図である。
【発明を実施するための形態】
【０００９】
以下、浴室暖房乾燥機の一実施形態を図面に従って説明する。
【００１０】
図１に示すように、本実施形態の浴室暖房乾燥機１０は、本体部１１と、本体部１１と接続されて換気を行う換気部３１とを有する。
【００１１】
図１に示すように本体部１１は、浴室Ｂ内の天井面に設けられている。本体部１１には、温水器Ｃ（図３参照）から温水が循環往路管１２ａを介して供給されるとともに、循環復路管１２ｂを介して温水器Ｃ内に戻るようになっている。
【００１２】
図２及び図３に示すように、本体部１１は、略有底四角箱状の本体ケース１２の下方にフロントパネル１３が取着されている。そして、本体部１１は、浴室Ｂ内にフロントパネル１３を露出させた状態で、本体ケース１２が浴室Ｂの天井裏に設置されている。
【００１３】
フロントパネル１３は、浴室Ｂ内の空気を吸い込む吸込口１３ａと、本体部１１で温められた空気を浴室Ｂ内に送り出す送気口１３ｂとを有する。送気口１３ｂは、アクチュエータ（図示略）によって温められた空気を送り出す方向を所定範囲内で調整可能なルーバーである。
【００１４】
図３に示すように、本体ケース１２内には、加温部としての熱交換器１４と、循環ファン１５とが備えられる。
【００１５】
図３に示すように、熱交換器１４は、吸込口１３ａの上方に設置され、前記温水器Ｃから供給される温水が循環する熱交換用コイル１４ａが上下方向に複数層に亘って往復方向に屈曲されて配設されている。熱交換用コイル１４ａには、一端部側から循環往路管１２ａを介して温水器Ｃから供給される温水が流入し、他端部側から循環復路管１２ｂを介して温水器Ｃ側に戻るようになっている。
【００１６】
図３及び図４に示すように、循環ファン１５は、循環用モータ１６によって回転駆動される。循環用モータ１６が回転駆動することで循環ファン１５が駆動し、これに伴って吸込口１３ａから空気が吸い込まれ、送気口１３ｂから空気が浴室Ｂ内に送り出されることとなる。
【００１７】
また、循環往路管１２ａと、熱交換器１４（熱交換用コイル１４ａ）との間の流路中に熱動弁１７が設けられる。熱動弁１７は、例えば制御部１８（図４参照）によって開度が調整、即ち流量が調整される。
【００１８】
また、本体ケース１２内にはコイル温度センサ１９が設けられる。コイル温度センサ１９は、熱動弁１７と熱交換器１４との間の流路内の温水の温度を計測することで熱交換器１４（熱交換用コイル１４ａ）の概ねの温度が測定（推定）可能となっている。
【００１９】
また、本体ケース１２内には吸込温度センサ２０が設けられる。吸込温度センサ２０は、吸込口１３ａの近傍且つ下流に設けられ、吸込口１３ａで吸い込まれた空気の温度を計測する。吸込温度センサ２０としては、測温抵抗体やサーミスタなどを採用することができる。
【００２０】
本体部１１は、流路の切換を行うダンパ２１を有する。ダンパ２１は、本体部１１と換気部３１との間の流路の開閉を行うものである。即ち、ダンパ２１を閉状態とすることで本体部１１と換気部３１との間の流路が閉鎖されて本体部１１から換気部３１側への空気の流出が遮断される。また、ダンパ２１を開状態とすることで本体部１１と換気部３１との間の流路が開放されて本体部１１から換気部３１側への空気の流出が可能な状態とされる。
【００２１】
図３に示すように換気部３１は、換気ケース３２内に換気ファン３３が収容される。換気ケース３２は、本体ケース１２に対して取り付けられる。そして、換気ケース３２は、前記ダンパ２１が開状態である場合に本体部１１側から浴室Ｂ内の空気が流入可能となっている。また、換気部３１は、脱衣室Ｕ内の空気及びトイレＴ内の空気を吸い込み可能となっている。このため、本実施形態の浴室暖房乾燥機１０は、浴室Ｂ、脱衣室Ｕ、及びトイレＴの３室換気が可能となっている。
【００２２】
図３及び図４に示すように、換気ケース３２内に収容される換気ファン３３は、換気用モータ３４によって回転駆動される。即ち、換気用モータ３４が駆動されることで換気ファン３３が駆動し、浴室Ｂ、脱衣室Ｕ及びトイレＴの換気が実施される。
【００２３】
図２及び図４に示すように、本実施形態の浴室暖房乾燥機１０では、本体部１１に、浴室Ｂ内で光を照射する光照射部４１を有する。光照射部４１は、例えば青などの寒色系の発光色と赤やオレンジなどの暖色系の発光色との間で調色可能な構成とされる。調色可能な構成としては、例えば発光色の異なる光源を複数備えたり、同色の光を発する複数の光源のそれぞれにピーク波長の異なる蛍光体を組み合わせるなどが考えられるが、これに限らない。また、赤色に発光する光源と、青色に発光する光源と、緑色に発光する光源とを組み合わせてそれぞれの光源の出力を調整することで調色を行う構成を採用してもよい。
【００２４】
図２に示すように、光照射部４１は、本体部１１において一方に寄せて配置される。より具体的には、光照射部４１は、浴室暖房乾燥機１０を浴室Ｂに設置した状態で洗い場Ｂ１（反浴槽Ｂ２）側に設けられる。このため、洗い場Ｂ１側に位置する浴室Ｂと脱衣室Ｕとの間のドアＤ（図１参照）寄りに光照射部４１が寄せて配置されることとなる。なお、浴室暖房乾燥機１０は、通常、送気口１３ｂ側が洗い場Ｂ１側に位置し、且つ、吸込口１３ａ側が浴槽Ｂ２側に位置するように設置される。このため、本実施形態では浴室暖房乾燥機１０を主体として規定した場合に、送気口１３ｂと吸込口１３ａとが並設される方向において送気口１３ｂ側に光照射部４１が設けられるような構成とされる。
【００２５】
図４及び図５に示すように、操作部５１は、浴室外であって例えば脱衣室Ｕに設けられる。操作部５１は、種々の駆動スイッチ５２と、浴室暖房乾燥機１０の駆動状態などが示される液晶表示部５３と、光の照射によって浴室内の温度状態を示す浴室温度報知部５４と、脱衣室Ｕの温度を測定する脱衣室温度測定部５５と、温度差報知部５６とを有する。
【００２６】
浴室温度報知部５４は、例えば単色の光源であって、吸込温度センサ２０によって測定された浴室Ｂの温度が所定温度以下（例えば１５℃以下）である場合に、点灯するようになっている。
【００２７】
温度差報知部５６は、例えば単色の光源であって、吸込温度センサ２０によって測定される浴室Ｂの温度が脱衣室温度測定部５５によって測定される脱衣室Ｕの温度よりも所定以上の温度差が生じた場合に点灯するようになっている。
【００２８】
また、図１及び図４に示すように本実施形態の浴室Ｂ内には浴室暖房乾燥機１０とは別体の浴室用照明６０が設けられる。この浴室用照明６０は、浴室外である脱衣室Ｕに設けられた点灯スイッチ６１がオン・オフ操作されることで点灯・非点灯（消灯）が切り替えられるようになっている。この点灯スイッチ６１のオン・オフ操作の状態は、制御部１８に点灯信号として入力されるようになっている。ちなみに、点灯信号がハイレベルの場合、点灯スイッチ６１がオン状態、即ち浴室用照明６０が点灯状態であり、点灯信号がローレベルの場合、点灯スイッチ６１がオフ状態、即ち浴室用照明６０が非点灯状態である。
【００２９】
次に、本実施形態の浴室暖房乾燥機１０の電気的構成（電気的接続）を説明する。
【００３０】
図４に示すように、浴室暖房乾燥機１０の制御部１８には、熱動弁１７、コイル温度センサ１９、吸込温度センサ２０、ダンパ２１、循環用モータ１６、換気用モータ３４及び光照射部４１が電気的に接続される。制御部１８は、各種センサ１９，２０に基づいて熱動弁１７及び熱交換器１４の駆動制御などを行う。また、制御部１８は、吸込温度センサ２０で検出された浴室Ｂの温度に基づいて光照射部４１の発光色を適宜切り替える制御を行う。より具体的には、制御部１８は、浴室Ｂの温度が低いほど寒色系の光となるように光照射部４１を制御し、浴室Ｂの温度が高いほど暖色系の光となるように光照射部４１を制御する。
【００３１】
また、制御部１８は、操作部５１と接続されている。そして、制御部１８は、吸込温度センサ２０で検出された浴室Ｂの温度が所定温度以下（例えば１５℃以下）である場合に操作部５１の浴室温度報知部５４を点灯させる。また、制御部１８は、吸込温度センサ２０で検出された浴室Ｂの温度と脱衣室温度測定部５５によって測定された脱衣室Ｕの温度が所定以上の温度差である場合に、温度差報知部５６を点灯させる。
【００３２】
上記のように構成された浴室暖房乾燥機１０の作用を説明する。
【００３３】
本実施形態の浴室暖房乾燥機１０では、操作部５１の駆動スイッチ５２が操作に基づいて制御部１８による各種駆動制御が実施される。
【００３４】
また、本実施形態の浴室暖房乾燥機１０では、点灯スイッチ６１がオン状態である場合に、制御部１８は浴室温度測定部である吸込温度センサ２０によって測定される浴室Ｂの温度に基づいて光照射部４１を制御する。ここで、制御部１８は、浴室Ｂの温度が低いほど寒色系の光となるように光照射部４１を制御し、浴室Ｂの温度が高いほど暖色系の光となるように光照射部４１を制御するようになっている。
【００３５】
次に、本実施形態の効果を記載する。
【００３６】
（１）浴室Ｂの温度を測定する吸込温度センサ２０と、浴室Ｂ内に対して複数種類の色の光を個別に照射可能な光照射部４１と、吸込温度センサ２０によって測定された温度に基づき光照射部４１を制御して照射する光の色を切り替える切替部としての制御部１８とを備える。このように、浴室Ｂの温度に基づいて浴室Ｂ内での光色が変わるため、使用者はドアＤを介して浴室外（例えば脱衣室Ｕ）から浴室Ｂ内の温度状況を把握することが可能となる。
【００３７】
（２）制御部１８は、吸込温度センサ２０によって測定された温度が低いほど寒色系の光を光照射部４１から照射させ、吸込温度センサ２０によって測定された温度が高いほど暖色系の光を光照射部４１から照射させる。このように、浴室Ｂの温度の高低を光色に関連付けることができるため、使用者はより確実に浴室Ｂ内の温度状況を把握することが可能となる。これによって、浴室Ｂ内の温度が低い場合は使用者に対して浴室暖房乾燥機１０による暖房機能を実施させる働きかけとなる。また、浴室暖房乾燥機１０による暖房機能を実施した際に、浴室Ｂ内が十分に暖まったことを使用者に認識させることが可能となる。
【００３８】
（３）使用者による操作が可能であって熱交換器１４（加温部）の駆動の有無を選択可能な駆動スイッチ５２を有する操作部５１を浴室外である脱衣室Ｕに備える。操作部５１は、吸込温度センサ２０によって測定される温度が所定温度（例えば１５℃）以下である場合に、その旨を点灯によって報知する浴室温度報知部５４を備える。これによって、光照射部４１に加えて浴室温度報知部５４によって浴室Ｂの温度を報知させて使用者に認識させることが可能となる。
【００３９】
（４）操作部５１は、脱衣室Ｕの温度を測定する脱衣室温度測定部５５を有し、該脱衣室温度測定部５５によって測定される脱衣室Ｕの温度と、吸込温度センサ２０によって測定される浴室Ｂの温度との差が所定以上ある場合に、その旨を報知する温度差報知部５６を備える。これによって、使用者に対して浴室Ｂと脱衣室Ｕとの温度差を報知でき、使用者に対して浴室暖房乾燥機１０による暖房機能を実施させる働きかけとなる。
【００４０】
（５）光照射部４１は、前記浴室Ｂ内における洗い場Ｂ１側に設けられるため、ドアＤから遠い反洗い場Ｂ１（浴槽Ｂ２）側と比較して使用者に把握させやすくできる。
【００４１】
（６）制御部１８は、浴室用照明６０の点灯状態と非点灯状態を示す点灯信号に基づき、点灯信号が浴室用照明６０の点灯状態を示す場合には光照射部４１による光の照射を可能と判定する。さらに制御部１８は、点灯信号が浴室用照明６０の非点灯状態を示す場合には光照射部４１による光の照射を不能と判定する。このような構成とすることで、浴室用照明６０が点灯のときのみ、光照射部４１による光の照射が実施可能となるため、無用な電力消費を抑えることが可能となる。
【００４２】
なお、上記実施形態は、以下のように変更してもよい。
【００４３】
・上記実施形態では具体的に言及していないが、例えば図６に示すように、光照射部４１を発光色の異なる複数の光源４１ａ〜４１ｄを有して構成した場合に、寒色系の光を発する光源４１ａ，４１ｂを相対的に洗い場Ｂ１側に配置し、暖色系の光を発する光源４１ｃ，４１ｄを相対的に反洗い場Ｂ１（浴槽Ｂ２）側に配置する構成を採用してもよい。このような構成とすることで、使用者に対して浴室Ｂ内が入浴に不適である状態を示す寒色系の光を発する光源４１ａ，４１ｂの光をドアＤから視認させやすくできる。
【００４４】
・上記実施形態では、浴室用照明６０の点灯状態と非点灯状態とに連動させるべく、点灯スイッチ６１のオン・オフ状態の信号を点灯信号として用いることとしたが、これに限らない。例えば、浴室暖房乾燥機１０の本体部１１に照度センサを設けて浴室Ｂ内の照度を測定し、照度センサのセンサ信号を点灯信号として用いて浴室用照明６０が点灯状態か非点灯状態かを判断してもよい。
【００４５】
・上記実施形態では、点灯スイッチ６１がオン状態の場合に光照射部４１による光の照射が可能な構成としたが、点灯スイッチ６１のオンオフにかかわらず、光照射部４１による光の照射を可能としてもよい。
【００４６】
・上記実施形態では、浴室温度報知部５４は、所定温度以下の場合に点灯される構成としたが、これに限らない。浴室温度報知部５４を光照射部４１と同様の構成とし、調色可能な構成としてもよい。また単純に浴室Ｂ内の温度を数字によって表示することで報知を行う構成や、インジケータ（メーター）等の状態変化によって報知を行う構成を採用してもよい。また、浴室温度報知部５４を省略する構成を採用してもよい。また、その表示態様は、点灯に限らず、液晶表示部５３に表示したり、音等によって報知を行う構成を採用してもよい。
【００４７】
・上記実施形態では、本体部１１側に制御部１８を設ける構成としたが、操作部５１側に制御部１８を設けるなど本体部１１の外部に制御部１８を設ける構成を採用してもよい。
【００４８】
・上記実施形態では浴室Ｂの温度（吸込温度）と、浴室外（脱衣室Ｕ）の温度との温度差が所定以上である場合に、操作部５１の温度差報知部５６を点灯させる構成を採用したが、これを省略してもよい。また、その表示態様は、点灯に限らず、液晶表示部５３に表示したり、音等によって報知を行う構成を採用してもよい。
【００４９】
・上記実施形態では、浴室温度として吸込口１３ａの温度を測定する構成としたが、これに限らず、測定位置は適宜変更してもよい。例えば、浴室Ｂ内に操作部を設ける場合には、その操作部に温度センサを設ける構成を採用してもよい。
【００５０】
・上記実施形態では、換気部３１と本体部１１とを隣接させる構成としたが、これに限らない。例えば、本体部１１と換気部３１とをダクトで接続する構成を採用してもよい。
【００５１】
・上記実施形態では、換気部３１を設ける構成としたが、換気部３１を省略する構成を採用してもよい。
【００５２】
・上記実施形態では特に言及していないが、例えば、浴室内にミスト噴霧を行うミスト噴霧装置を備えた構成を採用してもよい。なお、ミスト噴霧の方法やその温度は仕様等によって変更されるものであってもよい。
【００５３】
・上記実施形態では、１つの熱交換器１４を設ける構成としたが、その数は適宜変更してもよい。特に、上記変形例のようにミストを噴霧する構成の場合には、１つの熱交換器のみではミストの温度が所定値まで高めても送気口１３ｂから送り出される際には温度が低下する可能性があるため、複数の熱交換器を設ける意義は大きい。特に、送気口１３ｂの近傍に設けることで、ミストの温度を所定値まで高めた状態で送気口１３ｂから送り出すことが可能である。
【００５４】
・上記実施形態並びに各変形例は適宜組み合わせてもよい。
【００５５】
次に、上記実施形態及び別例から把握できる技術的思想を以下に付記として追記する。
【００５６】
（付記１）浴室内の空気を吸い込む吸込口と、吸い込んだ空気を温める加温部と、該加温部によって温められた空気を前記浴室内に送り出す送気口とを備えた浴室暖房乾燥機であって、
前記浴室の温度を測定する浴室温度測定部と、前記浴室内に対して複数種類の色の光を個別に照射可能な光照射部と、前記浴室温度測定部によって測定された温度に基づき前記光照射部を制御して照射する光の色を切り替える切替部とを備えたことを特徴とする浴室暖房乾燥機。
【００５７】
（付記２）前記切替部は、前記浴室温度測定部によって測定された温度が低いほど寒色系の光を前記光照射部から照射させ、前記浴室温度測定部によって測定された温度が高いほど暖色系の光を前記光照射部から照射させることを特徴とする付記１に記載の浴室暖房乾燥機。
【００５８】
（付記３）使用者による操作が可能であって前記加温部の駆動の有無を選択可能なスイッチを有する操作部を前記浴室外に備え、
前記操作部は、前記浴室温度測定部によって測定される温度が所定温度未満である場合に、その旨を報知する浴室温度報知部を備えたことを特徴とする付記１又は２に記載の浴室暖房乾燥機。
【００５９】
（付記４）前記操作部は、該操作部が設けられる浴室外の温度を測定する浴室外温度測定部を有し、該浴室外温度測定部によって測定される浴室外の温度と、前記浴室温度測定部によって測定される前記浴室の温度との差が所定以上ある場合に、その旨を報知する温度差報知部を備えたことを特徴とする付記３に記載の浴室暖房乾燥機。
【００６０】
（付記５）前記光照射部は、前記浴室内における洗い場側に設けられることを特徴とする付記１〜４のいずれか１つに記載の浴室暖房乾燥機。
【００６１】
（付記６）前記光照射部は、複数の光源を有して構成され、寒色系の光を発する光源が暖色系の光を発する光源寄りも前記浴室内における洗い場側に設けられることを特徴とする付記１〜５のいずれか１つに記載の浴室暖房乾燥機。
【００６２】
（付記７）浴室用照明の点灯状態と非点灯状態を示す点灯信号に基づき、該点灯信号が前記浴室用照明の点灯状態を示す場合には前記光照射部による光の照射を可能と判定し、前記点灯信号が前記浴室用照明の非点灯状態を示す場合には前記光照射部による光の照射を不能と判定する判定部を備えたことを特徴とする付記１〜６のいずれか１つに記載の浴室暖房乾燥機。
【産業上の利用可能性】
【００６３】
以上のように、本発明にかかる浴室暖房乾燥機は、浴室の温度に基づいて浴室内に照射する光の色を変更するため、居室等の照明装置やその他の照明を用いる装置に適用可能である。
【符号の説明】
【００６４】
１０    浴室暖房乾燥機
１３ａ  吸込口
１３ｂ  送気口
１４    熱交換器（加温部）
１８    制御部（切替部及び判定部）
２０    吸込温度センサ（浴室温度測定部）
４１    光照射部
５１    操作部
５２    駆動スイッチ（スイッチ）
５４    浴室温度報知部
５５    脱衣室温度測定部（浴室外温度測定部）
５６    温度差報知部
６０    浴室用照明
Ｂ      浴室
Ｂ１    洗い場
【図１】
2017062080.tif 000003
【図２】
2017062080.tif 000004
【図３】
2017062080.tif 000005
【図４】
2017062080.tif 000006
【図５】
2017062080.tif 000007
【図６】
2017062080.tif 000008